(57)【特許請求の範囲】
【請求項１】
上面板と前後の側面板と左右の側面板と底面板とで構成した、前後の側面板の右又は左の上部を斜めに切断することができる、前後が偏平な直方体状の箱体において、前後の側面板の左右端の、上下のほゞ中央の位置を点Ａ，Ａ，Ａ，Ａとして、また前後の側面板の左右端からと下端からとの、底面板の前後の幅にほゞ等しい同一の距離の位置を点Ｂ，Ｂ，Ｂ，Ｂとして、
前後の側面板に、点Ａと点Ａとを結ぶ谷折り線を、点Ａ，Ａと点Ｂ，Ｂとをそれぞれ結ぶ山折り線を、点Ｂと点Ｂとを結ぶ山折り線を、点Ｂ，Ｂと左右端の下端とをそれぞれ結ぶ山折り線を、それぞれ設けて、また左右の側面板に、点Ａと点Ａとを結ぶ山折り線を、それぞれ設けて、さらに前の側面板の点Ｂ，Ｂと後の側面板の点Ｂ，Ｂとを、それぞれ側面板を介して結ぶ谷折り線を設けたことを特徴とする電子レンジ加熱用の箱体。
【請求項２】
前述した前後の側面板の、点Ｂと点Ｂとを結ぶ山折り線上に、Ｕ字状の脚部片を、それぞれ切れ目線で区画して設けたことを特徴とする、請求項１に記載の電子レンジ加熱用の箱体。
【請求項３】
上面板と前後の側面板と左右の側面板と底面板とで構成した、前後の側面板の右又は左の上部を斜めに切断することができる、前後が偏平な直方体状の箱体において、前後の側面板の左右端の、上下のほゞ中央の位置を点Ａ，Ａ，Ａ，Ａとして、また前後の側面板の左右端からと下端からとの、底面板の前後の幅にほゞ等しい同一の距離の位置を点Ｂ，Ｂ，Ｂ，Ｂとして、加えて前後の側面板の左右端の、点Ａと下端とのほゞ中間の位置を点Ｃ，Ｃ，Ｃ，Ｃとして、
前後の側面板に、点Ａと点Ａとを結ぶ谷折り線を、点Ａ，Ａと点Ｂ，Ｂとをそれぞれ結ぶ山折り線を、点Ｂと点Ｂとを結ぶ山折り線を、点Ｂ，Ｂと左右端の下端とをそれぞれ結ぶ山折り線を、加えて点Ｂ，Ｂと点Ｃ，Ｃとをそれぞれ結ぶ山折り線を、それぞれ設けて、また左右の側面板に、点Ａと点Ａとを結ぶ山折り線を、加えて点Ｃと点Ｃとを結ぶ山折り線を、それぞれ設けて、さらに前の側面板の点Ｂ，Ｂと後の側面板の点Ｂ，Ｂとを、それぞれ底面板を介して結ぶ谷折り線を設けたことを特徴とする電子レンジ加熱用の箱体。
【発明の詳細な説明】
【０００１】
【発明の属する技術分野】
本発明は、例えば調理済のカレーソースのような、加熱するだけで賞味することができる、レトルト食品と通称する袋体入りの食品類を収容する箱体であって、袋体入りの食品類を収容したまま、自立安定性を付与した状態で電子レンジで加熱することができる、板紙製や段ボール紙製などの電子レンジ加熱用の箱体に関する。
【０００２】
【従来の技術】
従来から、例えば調理済のカレーソースのような、加熱するだけで賞味することができる食品類を、柔軟性を有する積層樹脂フィルム製などの前後が偏平な袋体に密封した、レトルト食品と通称する袋体入りの食品類を収容する箱体であって、袋体入りの食品類を収容したまま、自立安定性を付与した状態で電子レンジで加熱することができる、例えば図３に示すような、上面板２と前後の側面板４，４と左右の側面板５，５と底面板７とで構成した、上面板２と側面板４と側面板５と側面板４と上面板２とに、それぞれ前後方向、斜め方向、左右方向、斜め方向、前後方向の、図１Ａ，図２Ａに示す連続した切れ目線ｊを設けたことによって、前後の側面板４，４の右又は左の上部（図３Ｂでは左の上部）を斜めに切断することができる、前後が偏平な直方体状の箱体１０において、
後の側面板４の中央下部に、底面板７に連設した又は別体で作製した、図３Ａに示す通常のスタンドを貼着した（特開平１１−２４０５８２号公報を参照）、剛性、断熱性を有する板紙製の電子レンジ加熱用の箱体が用いられている。
【０００３】
この従来の図３に示す電子レンジ加熱用の箱体においては、前後の側面板４，４の左の上部を斜めに切断して、袋体２０の左の上部の一部を開封（蒸気抜き）した後に、図３Ａに示す通常のスタンドを組立てて、電子レンジのターンテーブル上に、前後が偏平な直方体状の箱体１０を少し後方に傾けて載置するだけで、図３Ｂ，Ｃに示すように、袋体入りの食品類を収容したまま、剛性を有する板紙製の箱体１０の、偏平な前後方向の自立安定性を付与した状態で電子レンジで加熱することができる、しかも袋体入りの食品類を収容したまま、袋体２０の左の上部を完全に開封して、断熱性を有する板紙製の箱体１０を持上げて、指などが熱くない状態で加熱した食品類を取出すことができる。
【０００４】
【発明が解決しようとする課題】
ところが従来の図３に示す電子レンジ加熱用の箱体については、袋体入りの食品類を収容したまま、自立安定性を付与した状態で電子レンジで加熱することができるものの、前述した通常のスタンドを、余分な板紙を用いて、底面板７に連設する又は別体で作製する必要があるために、また余分な貼着工程で、後の側面板４の中央下部に貼着する必要があるために、材料費が嵩んで工程が複雑になることが問題であった。
【０００５】
ところで、本発明の目的は、例えば調理済のカレーソースのような、加熱するだけで賞味することができる、レトルト食品と通称する袋体入りの食品類を収容する箱体であって、袋体入りの食品類を収容したまま、自立安定性を付与した状態で電子レンジで加熱することができる、板紙製や段ボール紙製などの、前述した通常のスタンドなどを必要としない、材料費が廉価で工程が簡単な電子レンジ加熱用の箱体を提供することにある。
【０００６】
【課題を解決するための手段】
本発明の電子レンジ加熱用の箱体は、上面板２と前後の側面板４，４と左右の側面板５，５と底面板７とで構成した、前後の側面板４，４の右又は左の上部を斜めに切断することができる、図１Ｂに示す前後が偏平な直方体状の箱体１０において、図１Ａに示すように、前後の側面板４，４の左右端（左右の側面板５，５の右左端）の、上下のほゞ中央の位置を点Ａ，Ａ，Ａ，Ａとして、また前後の側面板４，４の左右端からと下端からとの、底面板７の前後の幅にほゞ等しい同一の距離の位置を点Ｂ，Ｂ，Ｂ，Ｂとして、
前後の側面板４，４に、点Ａと点Ａとを結ぶ谷折り線ａを、点Ａ，Ａと点Ｂ，Ｂとをそれぞれ結ぶ山折り線ｂ，ｂを、点Ｂと点Ｂとを結ぶ山折り線ｃを、点Ｂ，Ｂと左右端の下端とをそれぞれ結ぶ山折り線ｄ，ｄを、それぞれ設けて、また左右の側面板５，５に、点Ａと点Ａとを結ぶ山折り線ｅを、それぞれ設けて、さらに前の側面板４の点Ｂ，Ｂと後の側面板４の点Ｂ，Ｂとを、それぞれ側面板５を介して結ぶ谷折り線ｆ，ｆを設けた電子レンジ加熱用の箱体である。
【０００７】
本発明の電子レンジ加熱用の箱体においては、前の側面板４の点Ｂ，Ｂと後の側面板４の点Ｂ，Ｂとを、それぞれ側面板５を介して結ぶ谷折り線ｆ，ｆの近傍を、箱体１０の左右からやゝ強く押すことによって、図１Ｃ，Ｄに示すように、谷折り線ｆ，ｆが強く谷折りされて、同時に山折り線ｂ，ｂ，ｂ，ｂ，ｃ，ｃ，ｄ，ｄ，ｄ，ｄが強く山折りされて、また谷折り線ａ，ａと山折り線ｅ，ｅとが僅かに谷折り、山折りされて、図１Ｂに示す前後が偏平な直方体状の箱体１０の、底面板７の前後の幅を、約３倍の山折り線ｃ，ｃの間隔まで広げた状態になるために、偏平な前後方向の自立安定性を安定して付与することができるものである。
【０００８】
加えて、本発明の電子レンジ加熱用の箱体は、前述した前後の側面板４，４の、図１Ａに示す点Ｂと点Ｂとを結ぶ山折り線ｃ，ｃ上に、Ｕ字状の脚部片９，９を、それぞれ切れ目線（符号がない実線、以下同じ）で区画して設けた電子レンジ加熱用の箱体である。
【０００９】
本発明の電子レンジ加熱用の箱体においては、同時に山折り線ｂ，ｂ，ｂ，ｂ，ｃ，ｃ，ｄ，ｄ，ｄ，ｄが強く山折りされた時に、底面板７の前後の幅を、約３倍の山折り線ｃ，ｃの間隔まで広げた状態で、山折り線ｃ，ｃ上に切れ目線で区画して設けた脚部片９，９，９，９が、特に図１Ｄに示す下方に突出した状態になるために、偏平な前後方向の自立安定性を、さらに安定して付与することができるものである。
【００１０】
また、本発明の電子レンジ加熱用の箱体は、上面板２と前後の側面板４，４と左右の側面板５，５と底面板７とで構成した、前後の側面板４，４の右又は左の上部を斜めに切断することができる、図２Ｂに示す前後が偏平な直方体状の箱体１０において、図２Ａに示すように、前後の側面板４，４の左右端（左右の側面板５，５の右左端）の、上下のほゞ中央の位置を点Ａ，Ａ，Ａ，Ａとして、また前後の側面板４，４の左右端からと下端からとの、底面板７の前後の幅にほゞ等しい同一の距離の位置を点Ｂ，Ｂ，Ｂ，Ｂとして、図１Ａに加えて前後の側面板４，４の左右端の、点Ａと下端とのほゞ中間の位置を点Ｃ，Ｃ，Ｃ，Ｃとして、前後の側面板４，４に、点Ａと点Ａとを結ぶ谷折り線ａを、点Ａ，Ａと点Ｂ，Ｂとをそれぞれ結ぶ山折り線ｂ，ｂを、点Ｂと点Ｂとを結ぶ山折り線ｃを、点Ｂ，Ｂと左右端の下端とをそれぞれ結ぶ山折り線ｄ，ｄを、図１Ａに加えて点Ｂ，Ｂと点Ｃ，Ｃとをそれぞれ結ぶ山折り線ｇ，ｇを、それぞれ設けて、また左右の側面板５，５に、点Ａと点Ａとを結ぶ山折り線ｅを、図１Ａに加えて点Ｃと点Ｃとを結ぶ山折り線ｈを、それぞれ設けて、さらに前の側面板４の点Ｂ，Ｂと後の側面板４の点Ｂ，Ｂとを、それぞれ底面板７を介して結ぶ谷折り線ｉ，ｉを設けた電子レンジ加熱用の箱体である。
【００１１】
本発明の電子レンジ加熱用の箱体においては、前の側面板４の点Ｂ，Ｂと後の側面板４の点Ｂ，Ｂとを、それぞれ底面板７を介して結ぶ谷折り線ｉ，ｉの近傍を、箱体１０の下からやゝ強く押すことによって、図２Ｃ，Ｄに示すように、谷折り線ｉ，ｉが強く谷折りされて、同時に山折り線ｂ，ｂ，ｂ，ｂ，ｃ，ｃ，ｄ，ｄ，ｄ，ｄが強く山折りされて、また谷折り線ａ，ａと山折り線ｅ，ｅとが僅かに谷折り、山折りされて、続いて箱体１０の突出した左右の下端を、箱体１０の左右から底面板７の下面に折込むことによって、山折り線ｇ，ｇ，ｇ，ｇ，ｈ，ｈが戻らないように山折りされて、図２Ｂに示す前後が偏平な直方体状の箱体１０の、底面板７の前後の幅を、特に図２Ｄに示す底面板７が僅かに凹んだ状態で、約３倍の山折り線ｃ，ｃの間隔まで広げた状態になるために、偏平な前後方向の自立安定性を、安定して付与することができるものである。
【００１２】
【発明の実施の形態】
本発明の電子レンジ加熱用の箱体については、後述する実施例に示すように、通常の印刷をした適宜の板紙や段ボール紙などを用いて、通常の打抜型を用いた打抜工程で、無駄が少ない長方形状の電子レンジ加熱用の箱体のブランクを作製して、通常の機械的な製箱、充填工程で、例えば調理済のカレーソースのような、加熱するだけで賞味することができる、レトルト食品と通称する袋体入りの食品類を収容した後に、上面内板２と上面板２とを、また底面内板７と底面板７とを、それぞれ貼着するなどした、図１Ｂ，図２Ｂに示す前後が偏平な直方体状の箱体１０であって、底面板７の前後の幅を、約３倍の山折り線ｃ，ｃの間隔まで広げて、偏平な前後方向の自立安定性を付与した状態で電子レンジで加熱することができる、従来の通常のスタンドなどを必要としない、材料費が廉価で工程が簡単な電子レンジ加熱用の箱体を得ることができる。
【００１３】
【実施例】
＜実施例１＞
本発明の実施例１における、図１Ａは、電子レンジ加熱用の箱体のブランクの平面図であって、また図１Ｂは、電子レンジ加熱用の箱体の斜視図であって、さらに図１Ｃ，Ｄは、電子レンジ加熱用の箱体に、自立安定性を付与した状態を示す斜視図、断面図である。
【００１４】
すなわち、上下辺に上面内板２、底面内板７を連設した後の側面板４と、上下辺に折込み片３、折込み片８を連設した左の側面板５と、上下辺に上面板２、底面板７を連設した前の側面板４と、上下辺に折込み片３、折込み片８を連設した右の側面板５と、糊代片６とを、山折り線（符号がない１点鎖線、以下同じ）を介して順に連設した上面内板２と後の側面板４と左の側面板５と前の側面板４と上面板２とに、それぞれ前後方向、斜め方向、左右方向、斜め方向、前後方向の、切断方向の上流側が屈曲した１列又は２列のミシン目状（ジッパー線と通称する）の連続した切れ目線ｊを設けたことによって、前後の側面板４，４の左の上部を斜めに切断することができる、縦、横、高さが２×１３×１６ｃｍの、図１Ｂに示す前後が偏平な直方体状の箱体１０のブランクにおいて、
前後の側面板４，４の左右端（左右の側面板５，５の右左端）の、上下のほゞ中央の位置を点Ａ，Ａ，Ａ，Ａとして、また前後の側面板４，４の左右端からと下端からとの、底面内板７、底面板７の前後の幅に等しい同一の距離２ｃｍの位置を点Ｂ，Ｂ，Ｂ，Ｂとして、
前後の側面板４，４に、点Ａと点Ａとを結ぶ谷折り線ａを、点Ａ，Ａと点Ｂ，Ｂとをそれぞれ結ぶ山折り線ｂ，ｂを、点Ｂと点Ｂとを結ぶ山折り線ｃを、点Ｂ，Ｂと左右端の下端とをそれぞれ結ぶ山折り線ｄ，ｄをそれぞれ設けて、また左右の側面板５，５に、点Ａと点Ａとを結ぶ山折り線ｅをそれぞれ設けて、さらに前の側面板４の点Ｂ，Ｂと後の側面板４の点Ｂ，Ｂとをそれぞれ側面板５を介して結ぶ谷折り線ｆ，ｆを設けて、加えて点Ｂと点Ｂとを結ぶ山折り線ｃ，ｃ上にＵ字状の脚部片９，９をそれぞれ切れ目線で区画して設けた、図１Ａに示す電子レンジ加熱用の箱体のブランクであって、
通常の印刷をした３５０ｇ／ｍ2 の裏白コートボール紙を用いて、通常の打抜型を用いた打抜工程で、無駄が少ない長方形状の、実施例１の電子レンジ加熱用の箱体のブランクを作製した。
【００１５】
次に、好ましくは山折り線ｂ，ｂ，ｂ，ｂ，ｃ，ｃ，ｄ，ｄ，ｄ，ｄと谷折り線ｆ，ｆとに、機械的に折り癖を付けて、通常の機械的な製箱、充填工程で、図１Ａに示す電子レンジ加熱用の箱体のブランクの全ての符号がない１点鎖線で示す山折り線を山折りして、後の側面板４の左端部と糊代片６とを角筒状に貼着して、調理済のカレーソースの３６０ｇ（２食分）を、柔軟性を有する積層樹脂フィルム製の前後が偏平な袋体２０に密封した、袋体入りのカレーソースを収容した後に、折込み片３，３と折込み片８，８とを折込んで、上面内板２と上面板２とを、また底面内板７と底面板７とを、それぞれ貼着して、図１Ｂに示す前後が偏平な直方体状の、剛性、断熱性を有するコートボール紙製の実施例１の電子レンジ加熱用の箱体を作製した。
【００１６】
続いて、図１Ｂに示す前後が偏平な直方体状の箱体１０の、前の側面板４の点Ｂ，Ｂと後の側面板４の点Ｂ，Ｂとを、それぞれ側面板５を介して結ぶ谷折り線ｆ，ｆの近傍を、箱体１０の左右からやゝ強く押したところ、図１Ｃ，Ｄに示すように、谷折り線ｆ，ｆが強く谷折りされて、同時に山折り線ｂ，ｂ，ｂ，ｂ，ｃ，ｃ，ｄ，ｄ，ｄ，ｄが強く山折りされて、また谷折り線ａ，ａと山折り線ｅ，ｅとが僅かに谷折り、山折りされて、底面板７の前後の幅２ｃｍを、約３倍の山折り線ｃ，ｃの間隔６ｃｍまで広げた状態で、山折り線ｃ，ｃ上に切れ目線で区画して設けた脚部片９，９，９，９が、特に図１Ｄに示す下方に突出した状態になって、偏平な前後方向の自立安定性を安定して付与することができた。
【００１７】
本実施例の電子レンジ加熱用の箱体においては、前後の側面板４，４の左の上部を斜めに切断して、袋体２０の左の上部の一部を開封（蒸気抜き）した後に、図１Ｃ，Ｄに示すように、底面板７の前後の幅を、約３倍の山折り線ｃ，ｃの間隔まで広げて、電子レンジのターンテーブル上に載置して、袋体入りのカレーソースを収容したまま、剛性を有するコートボール紙製の箱体１０の、偏平な前後方向の自立安定性を付与した状態で電子レンジで加熱することができる、しかも袋体入りのカレーソースを収容したまま、袋体２０の左の上部を完全に開封して、断熱性を有するコートボール紙製の箱体１０を持上げて、指などが熱くない状態で加熱したカレーソースを取出すことができる、前述した従来の、図３Ａに示す通常のスタンドなどを必要としない、材料費が廉価で工程が簡単な電子レンジ加熱用の箱体を得ることができた。
【００１８】
＜実施例２＞
本発明の実施例２における、図２Ａは、電子レンジ加熱用の箱体のブランクの平面図であって、また図２Ｂは、電子レンジ加熱用の箱体の斜視図であって、さらに図２Ｃ，Ｄは、電子レンジ加熱用の箱体に、自立安定性を付与した状態を示す斜視図、断面図である。
【００１９】
すなわち、前述した実施例１の、図１Ｂに示す前後が偏平な直方体状の箱体１０のブランクと同一の、上面板２、上面内板２と前後の側面板４，４と左右の側面板５，５と底面板７、底面内板７とで構成した、前後の側面板４，４の左の上部を斜めに切断することができる、縦、横、高さが２×１３×１６ｃｍの、図２Ｂに示す前後が偏平な直方体状の箱体１０のブランクにおいて、
前後の側面板４，４の左右端（左右の側面板５，５の右左端）の、上下のほゞ中央の位置を点Ａ，Ａ，Ａ，Ａとして、また前後の側面板４，４の左右端からと下端からとの、底面内板７、底面板７の前後の幅に等しい同一の距離２ｃｍの位置を点Ｂ，Ｂ，Ｂ，Ｂとして、図１Ａに加えて前後の側面板４，４の左右端の、点Ａと下端とのほゞ中間の位置を点Ｃ，Ｃ，Ｃ，Ｃとして、
前後の側面板４，４に、点Ａと点Ａとを結ぶ谷折り線ａを、点Ａ，Ａと点Ｂ，Ｂとをそれぞれ結ぶ山折り線ｂ，ｂを、点Ｂと点Ｂとを結ぶ山折り線ｃを、点Ｂ，Ｂと左右端の下端とをそれぞれ結ぶ山折り線ｄ，ｄを、図１Ａに加えて点Ｂ，Ｂと点Ｃ，Ｃとをそれぞれ結ぶ山折り線ｇ，ｇを、それぞれ設けて、また左右の側面板５，５に、点Ａと点Ａとを結ぶ山折り線ｅを、図１Ａに加えて点Ｃと点Ｃとを結ぶ山折り線ｈを、それぞれ設けて、さらに前の側面板４の点Ｂ，Ｂと後の側面板４の点Ｂ，Ｂとを、それぞれ底面板７を介して結ぶ谷折り線ｉ，ｉを設けた、図２Ａに示す電子レンジ加熱用の箱体のブランクであって、
実施例１と同様に、通常の印刷をした３５０ｇ／ｍ2 の裏白コートボール紙を用いて、通常の打抜型を用いた打抜工程で、無駄が少ない長方形状の、実施例２の電子レンジ加熱用の箱体のブランクを作製した。
【００２０】
次に、好ましくは山折り線ｂ，ｂ，ｂ，ｂ，ｃ，ｃ，ｄ，ｄ，ｄ，ｄと谷折り線ｉ，ｉとに、機械的に折り癖を付けて、実施例１と同様に、通常の機械的な製箱、充填工程で、図２Ａに示す電子レンジ加熱用の箱体のブランクの、全ての符号がない１点鎖線で示す山折り線を山折りして、後の側面板４の左端部と糊代片６とを角筒状に貼着して、実施例１と同一の袋体入りのカレーソースを収容した後に、折込み片３，３と折込み片８，８とを折込んで、上面内板２と上面板２とを、また底面内板７と底面板７とを、それぞれ貼着して、図２Ｂに示す前後が偏平な直方体状の、剛性、断熱性を有するコートボール紙製の実施例２の電子レンジ加熱用の箱体を作製した。
【００２１】
続いて、図２Ｂに示す前後が偏平な直方体状の箱体１０の、前の側面板４の点Ｂ，Ｂと後の側面板４の点Ｂ，Ｂとを、それぞれ底面板７を介して結ぶ谷折り線ｉ，ｉの近傍を、箱体１０の下からやゝ強く押したところ、図２Ｃ，Ｄに示すように、谷折り線ｉ，ｉが強く谷折りされて、同時に山折り線ｂ，ｂ，ｂ，ｂ，ｃ，ｃ，ｄ，ｄ，ｄ，ｄが強く山折りされて、また谷折り線ａ，ａと山折り線ｅ，ｅとが僅かに谷折り、山折りされて、続いて箱体１０の突出した左右の下端を、箱体１０の左右から底面板７の下面に折込んだところ、山折り線ｇ，ｇ，ｇ，ｇ，ｈ，ｈが戻らないように山折りされて、底面板７の前後の幅２ｃｍを、特に図２Ｄに示す底面板７が僅かに凹んだ状態で、約３倍の山折り線ｃ，ｃの間隔６ｃｍまで広げた状態になって、偏平な前後方向の自立安定性を、安定して付与することができた。
【００２２】
本実施例の電子レンジ加熱用の箱体においては、実施例１と同様に、前後の側面板４，４の左の上部を斜めに切断して、袋体２０の左の上部の一部を開封（蒸気抜き）した後に、図２Ｃ,Ｄに示すように、底面板７の前後の幅を、約３倍の山折り線ｃ，ｃの間隔まで広げて、電子レンジのターンテーブル上に載置して、袋体入りのカレーソースを収容したまま、剛性を有するコートボール紙製の箱体１０の、偏平な前後方向の自立安定性を付与した状態で電子レンジで加熱することができる、しかも袋体入りのカレーソースを収容したまま、袋体２０の左の上部を完全に開封して、断熱性を有するコートボール紙製の箱体１０を持上げて、指などが熱くない状態で加熱したカレーソースを取出すことができる、前述した従来の、図３Ａに示す通常のスタンドなどを必要としない、材料費が廉価で工程が簡単な電子レンジ加熱用の箱体を得ることができた。
【００２３】
【発明の効果】
以上、実施例ほかに示すとおり、本発明の電子レンジ加熱用の箱体においては、底面板７の前後の幅を、約３倍の山折り線ｃ，ｃの間隔まで広げて、レトルト食品と通称する袋体入りの食品類を収容したまま、偏平な前後方向の自立安定性を付与した状態で電子レンジで加熱することができる、しかも袋体入りの食品類を収容したまま、指などが熱くない状態で加熱した食品類を取出すことができる、剛性、断熱性を有する板紙製や段ボール紙製などの、従来の通常のスタンドなどを必要としない、材料費が廉価で工程が簡単な電子レンジ加熱用の箱体を提供することができる。
【図面の簡単な説明】
【図１】本発明の実施例１における、図１Ａは、電子レンジ加熱用の箱体のブランクの平面図であって、また図１Ｂは、電子レンジ加熱用の箱体の斜視図であって、さらに図１Ｃ，Ｄは、電子レンジ加熱用の箱体に、自立安定性を付与した状態を示す斜視図、断面図である。
【図２】本発明の実施例２における、図２Ａは、電子レンジ加熱用の箱体のブランクの平面図であって、また図２Ｂは、電子レンジ加熱用の箱体の斜視図であって、さらに図２Ｃ，Ｄは、電子レンジ加熱用の箱体に、自立安定性を付与した状態を示す斜視図、断面図である。
【図３】従来の電子レンジ加熱用の箱体における、図３Ａは、通常のスタンドのブランクの平面図であって、また図３Ｂ，Ｃは、電子レンジ加熱用の箱体に、自立安定性を付与した状態を示す斜視図、断面図である。
【符号の説明】
２…上面板、上面内板
３，８…折込み片
４，５…側面板
６…糊代片
７…底面板、底面内板
９…脚部片
１０…箱体
２０…袋体
Ａ…前後の側面板４，４の左右端上下のほゞ中央位置
Ｂ…前後の側面板４，４の左右端からと下端からとの底面板７前後の幅にほゞ等しい同一距離の位置
Ｃ…前後の側面板４，４の左右端の点Ａと下端とのほゞ中間位置
ａ，ｆ，ｉ…谷折り線
ｂ，ｃ，ｄ，ｅ，ｇ，ｈ…山折り線
ｊ…切れ目線
【図１】
0003925045.tif 000002
【図２】
0003925045.tif 000003
【図３】
0003925045.tif 000004